(57)【要約】【課題】第１枢支部及び第２枢支部を嵌めた状態でコネクタを旋回させれば、コネクタを簡便な操作でバッテリに接続することができる新規な方式を採用したバッテリとコネネクタとの接続構造、及び、電動式可動装置を提供する。【解決手段】バッテリ１は第１枢支部１６と第１係止部２１とを有する。コネクタ３は、バッテリ１の第１枢支部１６に対して相対的に旋回可能な第２枢支部３２と、バッテリ１の第１係止部２１に脱着可能に係止する第２係止部３３とを有する。バッテリ１の第１枢支部１６とコネクタ３の第２枢支部３２とを互いに嵌めた状態で、第１枢支部１６及び第２枢支部３２の回りで、バッテリ１及びコネクタ３のうちの少なくとも一方を他方に対して相対的に旋回させることにより、バッテリ１の第１係止部２１とコネクタ３の第２係止部３３とを互いに接近させ、脱着可能に互いに係止させる。【選択図】図９
2005085712.tif 000002
【特許請求の範囲】
【請求項１】
凹状または凸状をなす第１枢支部と凹状または凸状をなす第１係止部とを有するバッテリと、
凸状または凹状をなし前記バッテリの前記第１枢支部に対して相対的に旋回可能な第２枢支部と、凸状または凹状をなし前記バッテリの前記第１係止部に脱着可能に係止する第２係止部とを有するコネクタとを具備しており、
前記バッテリの前記第１枢支部と前記コネクタの前記第２枢支部とを互いに嵌めた状態で、前記第１枢支部及び前記第２枢支部の回りで、前記バッテリ及び前記コネクタのうちの少なくとも一方を他方に対して相対的に旋回させることにより、前記バッテリの前記第１係止部と前記コネクタの前記第２係止部とを接近させて脱着可能に互いに係止させることを特徴とするバッテリとコネクタとの接続構造。
【請求項２】
請求項１において、前記バッテリの前記第１枢支部及び前記コネクタの前記第２枢支部のうちの一方は回転軸状をなし、前記バッテリの前記第１枢支部及び前記コネクタの前記第２枢支部のうちの他方は、回転軸状をなす当該一方を挿入する切欠を有すると共に当該一方を回動可能に保持する穴状であり、  且つ、前記バッテリの前記第１係止部と前記コネクタの前記第２係止部とが係止しているとき、前記バッテリの前記第１枢支部及び前記コネクタの前記第２枢支部の係止は、維持されていることを特徴とするバッテリとコネクタとの接続構造。
【請求項３】
請求項１または請求項２において、前記バッテリは、前記コネクタの前記第２枢支部を前記バッテリの前記第１枢支部に向けて案内するコネクタ案内部をもつことを特徴とするバッテリとコネクタとの接続構造。
【請求項４】
請求項３において、前記コネクタ案内部は、前記コネクタの前記第２枢支部を前記バッテリの前記第１枢支部に向けて前記コネクタの幅方向において案内する第１コネクタ案内部と、前記コネクタの前記第２枢支部を前記バッテリの前記第１枢支部に前記コネクタの幅方向と交差する方向において案内する第２コネクタ案内部とをもつことを特徴とするバッテリとコネクタとの接続構造。
【請求項５】
請求項１〜請求項４のうちのいずれか一項において、前記コネクタの前記第２係止部は、弾性変形可能な操作部と、前記操作部に設けられた凸状または凹状をなし前記旋回に伴い前記バッテリの前記第１係止部に脱着可能に係止されると共に前記操作部の離脱方向への操作に伴い前記バッテリの前記第１係止部から離脱される第２係止部本体とを有することを特徴とするバッテリとコネクタとの接続構造。
【請求項６】
請求項１〜請求項５のうちのいずれか一項において、前記バッテリは、前記コネクタを収容するコネクタ収容室と、前記コネクタを前記コネクタ収容室に案内するコネクタ案内空間とをもち、前記コネクタ案内空間及び前記コネクタ収容室は断面で連設されていることを特徴とするバッテリとコネクタとの接続構造。
【請求項７】
請求項１〜請求項６のうちのいずれか一項において、前記バッテリは、前記バッテリ内の水を排出する水抜き孔を有することを特徴とするバッテリとコネクタとの接続構造。
【請求項８】
請求項１〜請求項７のうちのいずれか一項において、前記バッテリを脱着可能に収容するポケット部と前記ポケット部に対して前記バッテリを出し入れする出入口とを有するバッテリ収容部材が更に設けられており、
前記バッテリ収容部材は、前記ポケット部に収容されている前記バッテリの前記第１枢支部が露出する開口窓を有することを特徴とするバッテリとコネクタとの接続構造。
【請求項９】
請求項８において、前記バッテリ収容部材は、前記開口窓及び前記出入口のうちの一方または双方を外方から覆うカバー部を有することを特徴とするバッテリとコネクタとの接続構造。
【請求項１０】
対象物を保持する対象物保持部と、走行時に回転する回転体と、前記回転体を駆動させる駆動部と、走行時に前記駆動部を操作する走行操作部と、前記駆動部に給電する給電部と、前記対象物保持部、前記回転体、前記駆動部、前記走行操作部、前記給電部を保持するフレームとを具備する電動式可動装置において、
前記給電部は、
凹状または凸状をなす第１枢支部と凹状または凸状をなす第１係止部とを有するバッテリと、
凸状または凹状をなし前記バッテリの前記第１枢支部に対して相対的に旋回可能な第２枢支部と、凸状または凹状をなし前記バッテリの前記第１係止部に脱着可能に係止する第２係止部とを有するコネクタとを具備しており、
前記バッテリの前記第１枢支部と前記コネクタの前記第２枢支部とを互いに嵌めた状態で、前記第１枢支部及び前記第２枢支部の回りで、前記バッテリ及び前記コネクタのうちの少なくとも一方を他方に対して相対的に旋回させることにより、前記バッテリの前記第１係止部と前記コネクタの前記第２係止部とを接近させて脱着可能に互いに係止させることを特徴とする電動式可動装置。
【請求項１１】
請求項１０において、電動式車椅子に用いられ、前記対象物保持部は、人を着座させる着座部と前記着座部に着座する人の背中を支える背もたれ部とを有しており、前記着座部及び前記背もたれ部のうちの少なくとも一方の側に、前記バッテリが設けられていることを特徴とする電動式可動装置。
【請求項１２】
請求項９〜請求項１１のうちのいずれか一項において、前記バッテリを脱着可能に収容するポケット部と前記ポケット部に対して前記バッテリを出し入れする出入口とを有するバッテリ収容部材が前記フレームに設けられており、
前記バッテリ収容部材は、前記ポケット部に収容されている前記バッテリの前記第１枢支部が露出する開口窓を有することを特徴とする電動式可動装置。
【請求項１３】
請求項１２において、前記バッテリ収容部材は、前記開口窓及び前記出入口のうちの一方または双方を外方から覆うカバー部を有することを特徴とする電動式可動装置。
【発明の詳細な説明】
【技術分野】
【０００１】
本発明はバッテリとコネクタとの接続構造、及び、電動式可動装置に関する。
【背景技術】
【０００２】
従来技術について、電動式車椅子を例にとって説明する。特許文献１には、使用者が着座する着部部の下側に電源搭載装置を設けた電動式車椅子が開示されている。この電源搭載装置は、バッテリを載せる底板と、底板に載せられたバッテリの上面に被着される電源カバーとを備えている。バッテリを載せる底板は、上向きに突出する２個１組の腕部と、その腕部の先端部に設けられた係止部とを有する。電源カバーは、下向きに突出する２個１組の腕部と、その腕部の先端部に設けられた被係止部とを有する。
【０００３】
このものによれば、底板の上面にバッテリを載せた状態で、バッテリの上方から電源カバーを非旋回状態で下降させてバッテリの上面に被着させることにより、電源カバーの端子とバッテリの端子とを電気的に接続すると共に、底板の腕部の係止部と電源カバーの腕部の被係止部とを脱着可能に係止することにしている。
【特許文献１】特開平１０−５２８３号
【発明の開示】
【発明が解決しようとする課題】
【０００４】
上記した技術によれば、底板上のバッテリの係止部と電源カバーの被係止部との位置関係が必ずしも明確ではなく、作業者が肉眼で係止部及び被係止部の位置を視認しつつ電源カバーをバッテリに取り付ける操作が必要となり、取付に時間を要する不具合がある。更に上記した技術によれば、コネクタを旋回させてバッテリに接続する方式ではない。
【０００５】
本発明は上記した実情に鑑みてなされたものであり、第１枢支部及び第２枢支部を嵌めた状態でコネクタを旋回させれば、コネクタを簡便な操作でバッテリに接続することができる新規な方式を採用したバッテリとコネクタとの接続構造、及び、電動式可動装置を提供することを課題とする。
【課題を解決するための手段】
【０００６】
様相１に係るバッテリとコネクタとの接続構造は、凹状または凸状をなす第１枢支部と凹状または凸状をなす第１係止部とを有するバッテリと、
凸状または凹状をなしバッテリの第１枢支部に対して相対的に旋回可能な第２枢支部と、凸状または凹状をなしバッテリの第１係止部に脱着可能に係止する第２係止部とを有するコネクタとを具備しており、
バッテリの第１枢支部とコネクタの第２枢支部とを互いに嵌めた状態で、第１枢支部及び第２枢支部の回りで、バッテリ及びコネクタのうちの少なくとも一方を他方に対して相対的に旋回させることにより、バッテリの第１係止部とコネクタの第２係止部とを接近させて脱着可能に互いに係止させることを特徴とするものである。
【０００７】
この場合、第１枢支部及び第２枢支部の回りでコネクタを旋回させ、バッテリの第１係止部とコネクタの第２係止部とを係止させれば、そのコネクタをバッテリに接続することができる。この結果、コネクタの端子とバッテリの端子とは電気的に接続される。ここで、第１枢支部及び第２枢支部の凹状または凸状は、コネクタを旋回可能に第１枢支部及び第２枢支部を維持する機能をもつ凹凸構造を意味する。第１係止部及び第２係止部の凹状または凸状は、旋回させたコネクタをバッテリに係止させる機能をもつ凹凸構造を意味する。
【０００８】
様相２に係るバッテリとコネクタとの接続構造によれば、様相１の特徴を有する他に、バッテリの第１枢支部及びコネクタの第２枢支部のうちの一方は回転軸状をなし、バッテリの第１枢支部及びコネクタの第２枢支部のうちの他方は回転軸状の当該一方を挿入する切欠を有すると共に当該一方を回動可能に保持する穴状であり、且つ、バッテリの第１係止部とコネクタの第２係止部とが係止しているとき、バッテリの第１枢支部及びコネクタの第２枢支部の係止は、維持されていることを特徴とする。
【０００９】
この場合、第１枢支部及び第２枢支部の回りでコネクタを旋回させ、そのコネクタをバッテリに接続することができる。バッテリの第１枢支部及びコネクタの第２枢支部のうちの一方は回転軸状をなし、他方は回転軸状をなす当該一方を挿入する切欠を有する穴状であるため、切欠を介して、第１枢支部と第２枢支部とを回動可能に且つ良好に嵌めることができる。更に切欠により、第１枢支部と第２枢支部との取り外し操作も容易となり、コネクタをバッテリから外す操作も容易となる。様相２においても、バッテリの第１係止部とコネクタの第２係止部とが係止しているとき、バッテリの第１枢支部及びコネクタの第２枢支部の係止は、維持されているため、コネクタの外れ止め性が一層向上する。
【００１０】
様相３に係るバッテリとコネクタとの接続構造によれば、様相１の特徴を有する他に、バッテリは、コネクタの第２枢支部をバッテリの第１枢支部に向けて案内するコネクタ案内部をもつことを特徴とする。コネクタ案内部の案内作用により、コネクタの第２枢支部をバッテリの第１枢支部に向けて良好に且つ迅速に案内することができる。このため夜間等の暗所であっても、視力が弱い人であっても、身体の動作が不自由の人であっても、コネクタを視認しづらい場所に接続するときであっても、あるいは、電動式車椅子に乗ったままの状態でコネクタをバッテリに接続するときであっても、コネクタの第２枢支部をバッテリの第１枢支部に向けて容易に案内して嵌めることができ、この結果、コネクタをバッテリに簡便に接続することができる。
【００１１】
様相４に係るバッテリとコネクタとの接続構造によれば、様相１の特徴を有する他に、コネクタ案内部は、コネクタの第２枢支部をバッテリの第１枢支部に向けてコネクタの幅方向において案内する第１コネクタ案内部と、コネクタの第２枢支部をバッテリの第１枢支部にコネクタの幅方向と交差する方向において案内する第２コネクタ案内部とをもつことを特徴とする。第１コネクタ案内部及び第２コネクタ案内部の案内作用により、コネクタの第２枢支部をバッテリの第１枢支部に向けて良好に且つ迅速に案内することができる。
【００１２】
様相５に係るバッテリとコネクタとの接続構造によれば、様相１の特徴を有する他に、コネクタの第２係止部は、弾性変形可能な操作部と、操作部に設けられた凸状または凹状をなし旋回に伴いバッテリの第１係止部に脱着可能に係止されると共に操作部の離脱方向への操作に伴いバッテリの第１係止部から離脱される第２係止部本体とを有することを特徴とする。この場合、人等が操作部をこれの離脱方向へ操作すれば、コネクタの第２係止部本体をバッテリの第１係止部から簡便に離脱させることができる。従って、夜間等の暗所であっても、視力が弱い人であっても、身体の動作が不自由の人であっても、バッテリからコネクタを簡便に取り外すことができる。
【００１３】
様相６に係るバッテリとコネクタとの接続構造によれば、様相１の特徴を有する他に、バッテリは、コネクタを収容するコネクタ収容室と、コネクタをコネクタ収容室に案内するコネクタ案内空間とをもち、コネクタ案内空間及びコネクタ収容室は連設されていることを特徴とする。このようにコネクタ案内空間及びコネクタ収容室が連設されているため、コネクタ案内空間により案内されたコネクタをコネクタ収容室に収容させ易い。
【００１４】
様相７に係るバッテリとコネクタとの接続構造によれば、様相１の特徴を有する他に、バッテリはバッテリ内の水を排出する水抜き孔を有することを特徴とする。この場合、バッテリの内部において結露水などの水が発生したときであっても、その水を水抜き孔を介してバッテリの外方に排出させることができ、バッテリの耐久性を向上させることができる。
【００１５】
様相８に係るバッテリとコネクタとの接続構造によれば、様相１の特徴を有する他に、バッテリを脱着可能に収容するポケット部とポケット部に対してバッテリを出し入れする出入口とを有するバッテリ収容部材が更に設けられており、バッテリ収容部材は、ポケット部に収容されているバッテリの第１枢支部が露出する開口窓を有することを特徴とする。この場合、バッテリ収容部材のポケット部に収容されているバッテリの第１枢支部が露出するため、バッテリをバッテリ収容部材のポケット部に収容してポケット部に隠蔽させた状態で、バッテリ収容部材の開口から露出するバッテリの第１枢支部にコネクタの第２枢支部を嵌めることができる。そして、そのコネクタをバッテリに対して相対的に旋回させることによりコネクタをバッテリに接続させることができる。更にバッテリ収容部材のポケット部にバッテリは収容されているため、バッテリに対する保護性を高めることができる。
【００１６】
様相９に係るバッテリとコネクタとの接続構造によれば、様相１の特徴を有する他に、バッテリ収容部材は、開口窓及び出入口のうちの一方または双方を外方から覆うカバー部を有することを特徴とする。この場合、バッテリ収容部材のポケット部に収容されているバッテリをカバー部で保護することができ、バッテリに対する保護性を一層高めることができる。
【００１７】
様相１０に係る電動式可動装置は、対象物を保持する対象物保持部と、走行時に回転する回転体と、回転体を駆動させる駆動部と、走行時に駆動部を操作する走行操作部と、駆動部に給電する給電部と、対象物保持部、回転体、駆動部、走行操作部、給電部を保持するフレームとを具備する電動式可動装置において、
給電部は、凹状または凸状をなす第１枢支部と凹状または凸状をなす第１係止部とを有するバッテリと、
凸状または凹状をなしバッテリの第１枢支部に対して相対的に旋回可能な第２枢支部と、凸状または凹状をなしバッテリの第１係止部に脱着可能に係止する第２係止部とを有するコネクタとを具備しており、
バッテリの第１枢支部とコネクタの第２枢支部とを互いに嵌めた状態で、第１枢支部及び第２枢支部の回りで、バッテリ及びコネクタのうちの少なくとも一方を他方に対して相対的に旋回させることにより、バッテリの第１係止部とコネクタの第２係止部とを接近させて脱着可能に互いに係止させることを特徴とするものである。この場合、第１枢支部及び第２枢支部の回りでコネクタを旋回させ、そのコネクタをバッテリに接続することができる。この結果、コネクタの端子とバッテリの端子とは電気的に接続される。なお、バッテリ搭載型の電動式可動装置としては、電動式の走行機能をもつ車椅子、電動式の定置型の椅子、電動式の搬送機能をもつ搬送ベッド、電動式の起伏機能をもつベッド、電動式の自転車、電動式の車両等を例示することができる。
【００１８】
様相１１に係る電動式可動装置によれば、様相１０の特徴を有する他に、電動式車椅子に用いられ、対象物保持部は、人を着座させる着座部と着座部に着座する人の背中を支える背もたれ部とを有しており、着座部及び背もたれ部のうちの少なくとも一方の側に、バッテリが設けられていることを特徴とする。この場合、バッテリを電動式車椅子に搭載させることができる。バッテリが電動式車椅子の着座部の側に設けられている場合には、バッテリを着座部により隠蔽させやすくなる。バッテリが電動式車椅子の背もたれ部の側に設けられている場合には、作業者の腰の曲げ度合を抑制しつつ、バッテリを電動式車椅子に搭載させる操作が行いやすい。
【００１９】
様相１２に係る電動式可動装置によれば、様相１０の特徴を有する他に、バッテリを脱着可能に収容するポケット部とポケット部に対してバッテリを出し入れする出入口とを有するバッテリ収容部材がフレームに設けられており、バッテリ収容部材は、ポケット部に収容されているバッテリの第１枢支部が露出する開口窓を有することを特徴とする。この場合、バッテリ収容部材のポケット部に収容されているバッテリの第１枢支部が露出するため、バッテリをバッテリ収容部材のポケット部に収容させつつ、バッテリのうちバッテリ収容部材の開口から露出する第１枢支部にコネクタの第２枢支部を嵌め、そのコネクタをバッテリに対して相対的に旋回させることによりコネクタをバッテリに接続させることができる。更にバッテリ収容部材のポケット部にバッテリは収容されているため、バッテリに対する保護性を高めることができる。
【００２０】
様相１３に係る電動式可動装置によれば、様相１０の特徴を有する他に、バッテリ収容部材は、開口窓及び出入口のうちの一方または双方を外方から覆うカバー部を有することを特徴とする。この場合、バッテリ収容部材のポケット部に収容されているバッテリをカバー部で保護することができ、バッテリに対する保護性を一層高めることができる。
【発明の効果】
【００２１】
本発明によれば、第１枢支及び第２枢支部を互いに嵌めた状態とし、第１枢支及び第２枢支部の回りでコネクタを旋回させることにより、コネクタをバッテリに接続する新規な方式を採用した本発明はバッテリとコネクタとの接続構造、及び、電動式可動装置を提供することができる。
【発明を実施するための最良の形態】
【００２２】
本発明の実施形態について図面を参照しつつ説明する。図１はバッテリ１を示す。図２はバッテリ１にコネクタ３を接続した状態を示す。図１に示すように、本実施形態に係るバッテリ１は、第１ケース１０ｍと第２ケース１０ｎとを結合して形成された樹脂製のバッテリケース１０と、バッテリケース１０の内部に収容された交換可能な電池ユニット１１（例えば、ニッケル−水素電池、リチウム電池）とで形成されている。バッテリケース１０は、縦長の偏平箱形とされており、互いに背向する底面１０ａ及び上面１０ｂと、互いに背向する大きな面積の２個１組の側面１０ｃと、互いに背向する小さい面積の２個１組の側面１０ｄとをもつ。なお、バッテリ１の厚みは薄く、ｔ１（図１参照）で示される。
【００２３】
バッテリ１の下側には、コネクタ３を収容するコネクタ収容室１３と、コネクタ収容室１３に連設された溝状をなすコネクタ案内空間１４とが形成されている。コネクタ案内空間１４及びコネクタ収容室１３は、底面１０ａ及び一方の側面１０ｃにおいて開口するように、断面でＬ字形状をなすように連設されている。この結果、コネクタ案内空間１４によりコネクタ３をコネクタ収容室１３に向けて案内し、コネクタ収容室１３に収容させ易い。
【００２４】
バッテリ１において、コネクタ案内空間１４とコネクタ収容室１３との境界域付近には、突起１５が形成されている。突起１５は凹状の第１枢支部１６を有する。第１枢支部１６は、横方向（矢印Ｄ方向）に沿って直状に延設されており、上方に開口する切欠１７を有する穴状とされており、バッテリケース１０の下側に位置して形成されている。バッテリケース１０のうちコネクタ収容室１３を区画する壁面１３ｘには、ロック機能を有する凹形状の第１係止部２１が第１枢支部１６の下方に位置するように形成されている。バッテリケース１０のうちコネクタ収容室１３には、導電材料で形成された複数の第１端子１８が露出して並設されている。第１端子１８は図略のリード線により電池ユニット１１に繋がるものであり、図１に示す使用状態では下方向に指向する。
【００２５】
バッテリケース１０の底面１０ａには、バッテリケース１０の内外を連通させる水抜き孔１９が形成されている。バッテリケース１０の内部で結露水等の水が生成したときであっても、その水を水抜き孔１９を介して外方に排出させることができる。バッテリケース１０の上部側の凹状部２２には、人の手指で保持される手掛け部２３が橋架されている。バッテリケース１０のうち第１枢支部１６に背向する側面１０ｃには、複数個の膨出部２４が分散して形成されている。膨出部２４を下側にした状態で、バッテリケース１０をテーブル面や床面等の設置面に載置したとき、膨出部２４によりバッテリケース１０と設置面との間に隙間を形成でき、設置面の水や汚れがバッテリケース１０に付着することを抑えることができる。
【００２６】
図３はコネクタ３を示す。図４は図３の矢印Ａ１方向から視認したコネクタ３を示す。図５は図３の矢印Ａ２方向から視認したコネクタ３を示す。コネクタ３は、人の指先で操作しやすいサイズとされた樹脂製のコネクタケース３０と、コネクタケース３０の端側においてコネクタケース３０から離れる方向に突出するように形成された２個１組の互いに対向する膨出部３１と、２個１組の膨出部３１の間に架設された凸状つまり回転軸状の第２枢支部３２と、コネクタ３のうち第２枢支部３２と反対側に形成された第２係止部３３とを有する。回転軸状をなす第２枢支部３２は、横断面で円形状とされており、回動性、旋回性が確保されている。膨出部３１の先端３１ｘは、滑走性を高めるべく円弧面で形成されている。なお、回転軸状の第２枢支部３２は、膨出部３１の円弧面３１ｘからΔＭ退避している。この場合、膨出部３１の先端３１ｘをバッテリ１に沿って移動させるとき、回転軸状の第２枢支部３２の過剰摺動が避けられ、第２枢支部３２の損傷を避けるのに有利である。
【００２７】
コネクタ３の第２係止部３３は、図３に示すように、コネクタケース３０のうち回転軸状をなす第２枢支部３２に対して反対側に形成された弾性腕状の操作部３７と、コネクタケース３０に背向するように操作部３７の外面に設けられた凸状つまり爪形状をなす第２係止部本体３４とを有する。操作部３７の一端３７ａはコネクタケース３０に連結されているが、操作部３７の他端３７ｂは自由端状とされている。従って、操作部３７はバネ性を有しており、ロック解除方向（図３に示す矢印Ｘ３方向）、ロック方向（図３に示す矢印Ｘ４方向）に弾性変形可能とされている。なお、操作部３７の他端３７ｂには、指先の摩擦抵抗性を高める微小の凹凸形状をなす滑り止め部３８が形成されている。
【００２８】
第２係止部本体３４はロック機能を有しており、傾斜面３４ａと、抜け止め性を高める立面３４ｂとを有する。コネクタケース３０の表面には複数の第２端子４０が露出して並設されている。第２端子４０は導電材料で形成されており、図３に示すように、一端がコネクタケース３０の表面に保持されていると共に他端が自由端状であるため、矢印Ｘ５、Ｘ６方向に弾性変形可能である。コネクタ３の第２端子４０は、バッテリ１の第１端子１８と電気的に接触可能な位置に形成されている。
【００２９】
図４、図５に示すように、コネクタケース３０は、保持性を高めるべく人の指Ｗ１に適応できる凹状曲成面３０ａと、導線が内蔵された被覆ケーブル４１を導出させる導出部３０ｃとをもつ。被覆ケープル４１の導線は第２端子４０に電気的に繋がり、ひいてはバッテリ１の電池ユニット１１に電気的に繋がる。
【００３０】
図１に示すように、バッテリケース１０の下側に形成されている溝状のコネクタ案内空間１４には、コネクタ案内部が形成されている。このコネクタ案内部は、コネクタ３をバッテリ１のコネクタ収容室１３に向けて位置決めしつつ案内する。具体的には、このコネクタ案内部は、コネクタ３をバッテリ１の幅方向（矢印Ｄ方向）において位置決めしつつ案内する第１コネクタ案内部２６と、コネクタ３をバッテリ１の厚み方向において位置決めしつつ案内する第２コネクタ案内部２８とで形成されている。
【００３１】
図８に示すように、第１コネクタ案内部２６は、バッテリケース１０において幅Ｄ１が一定の案内面２６ｆと、案内面２６ｆに連設され上側に向かうにつれて幅Ｄ１が幅方（矢印Ｄ方向において）次第に増加する案内面２６ｓとを有する。第２コネクタ案内部２８は、図６、図７に示すように、コネクタ３に設けられている回転軸状の第２枢支部３２をバッテリ１の穴状の第１枢支部１６にコネクタ３の幅方向と交差する方向（即ち、バッテリ１の厚さ方向、図６に示す矢印Ｈ方向）において案内する。
【００３２】
図６、図７に示すように、第２コネクタ案内部２８は、バッテリケース１０の側面１０ｃからの深さｈが一定であり且つ第１枢支部１６に繋がる平坦案内面２８ｆと、平坦案内面２８ｆに連設され上側に向かうにつれて深さｈが次第に浅くなる傾斜案内面２８ｓとを有する。本実施形態によれば、夜間等の暗所においても、視力が不自由な人であっても、第１コネクタ案内部２６及び第２コネクタ案内部２８により、コネクタ３は三次元的に位置決めされつつ案内されるため、コネクタ３の回転軸状の第２枢支部３２を、バッテリ１の切欠１７を通して穴状の第１枢支部１６に向けて短時間のうちに良好に且つ迅速に嵌めることができ、この結果、コネクタ３をバッテリ１に簡便に接続することができる利点が得られる。
【００３３】
次に、コネクタ３をバッテリ１に接続する場合について、主に図６〜図９を参照して説明を加える。まず、図６に示すように、バッテリ１から分離されているコネクタ３を手指等で掴み、コネクタ３の第２枢支部３２をバッテリ１の側面１０ｃに対面させる。この状態において、コネクタ３をこれがバッテリ１に接近するように（図６に示す矢印Ｗ２方向）に移動させる。これにより、コネクタケース３０の膨出部３１の先端３１ｘを、バッテリ１の第２コネクタ案内部２８の平坦案内面２８ｆの付近、または、傾斜案内面２８ｓの付近に押し当てる。このようにコネクタ３をバッテリ１の第２コネクタ案内部２８に押し当てつつ、コネクタ３をバッテリ１のコネクタ収容室１３に向けて、つまり、下方向（矢印Ｙ１方向）に向けてコネクタ案内部２６、２８に沿って移動させる。このとき膨出部３１の先端３１ｘは円弧面で形成されているため、先端３１ｘはバッテリ１に沿って円滑に滑走することができ、移動操作性を向上させることができる。この場合、図６、図７に示すように、コネクタ３の第２端子４０、導出部３０ｃは、互いに背向しつつ横方向に向いている。
【００３４】
上記したようにコネクタ３を下方向に向けて移動させると、図７に示すように、コネクタ３に設けられている回転軸状をなす第２枢支部３２が、切欠１７から穴状の第１枢支部１６に自動的に嵌まる。この場合、コネクタ３は、前述したように、第１コネクタ案内部２６及び第２コネクタ案内部２８の位置決め案内作用により、コネクタ３の回転軸状の第２枢支部３２をバッテリ１の穴状の第１枢支部１６に向けて位置決めしつつ良好に且つ迅速に案内することができる。
【００３５】
図７に示すようにコネクタ３の回転軸状の第２枢支部３２がバッテリ１の穴状の第１枢支部１６に嵌まった状態では、コネクタ３は旋回可能に仮保持されており、コネクタ３の自然落下は抑えられている。この状態では、図７に示すように、コネクタ３の回転軸状の第２枢支部３２は、コネクタ３において相対的に上側に位置していると共に、コネクタ３の操作部３７は第２枢支部３２よりも相対的に下側に位置している。更に図７に示すように、コネクタケース３０の導出部３０ｃは横方に指向しており、且つ、コネクタ３の第２端子４０は第１端子１８に臨むように横方向に指向している。
【００３６】
上記のようにコネクタ３の回転軸状の第２枢支部３２をバッテリ１の穴状の第１枢支部１６に嵌めて仮保持した状態において、コネクタ３の回転軸状の第２枢支部３２を旋回中心として、コネクタ３を横方向（図７に示す矢印Ｓ１方向）にほぼ９０度旋回させる。この場合、コネクタ３の第２枢支部３２は断面円形状の回転軸状をなしていると共に、バッテリ１の穴状の第１枢支部１６は回転軸受けとして機能できるため、コネクタ３の旋回性は良好である。
【００３７】
上記したようにコネクタ３を旋回させた結果、コネクタ３の操作部３７は、コネクタ収容室１３の壁面１３ｘ（第１係止部２１を有する壁面）により押圧されて弾性変形される。即ち、腕状をなす操作部３７は、図９に示す矢印Ｘ３方向へ自動的に弾性変形され、その後、バネ力を逆方向に発揮するため、操作部３７の爪状の第２係止部本体３４がバッテリ１の凹状の第１係止部２１に自動的に係止される。即ち、作業者が第１枢支部１６及び第２枢支部３２の回りで、コネクタ３をコネクタ収容室１３に向けて旋回させれば、特別な係止操作を行わずとも、爪状の第２係止部本体３４が凹状の第１係止部２１に自動的に係止され、第１のロック手段が機能する。
【００３８】
ここで、図７に示すように、凹状の第１係止部２１は、傾斜面２１ａと、抜け止め性を高める立面２１ｂとを有する。また図７に示すように、爪状の第２係止部本体３４は、傾斜面３４ａと、抜け止め性を高める立面３４ｂとを有する。立面３４ｂ、２１ｂ同士の係止により抜け止め性が高められている。
【００３９】
この場合、腕状をなす操作部３７がロック方向（矢印Ｘ４方向）にバネ力を発揮するため、爪状の第２係止部本体３４が凹状の第１係止部２１に確実にロックされる。また、図９に示すように、穴状の第１枢支部１６と回転軸状をなす第２枢支部３２とは互いに係止しており、突起１５の壁１５ｍにより第２枢支部３２の離脱は防止されている。即ち、第１枢支部１６と第２枢支部３２が第２のロック手段として機能する。上記した第１のロック手段及び第２のロック手段により、コネクタ３がバッテリ１の底側のコネクタ収容室１３に収容された状態で、バッテリ１にロックされる。換言すると、バッテリ１の第１係止部２１とコネクタ３の第２係止部３３とが係止しているとき、バッテリ１の第１枢支部１６及びコネクタ３の第２枢支部３２の係止は維持されているため、バッテリ１からのコネクタ３の外れは防止される。
【００４０】
上記したようにコネクタ３をバッテリ１に接続した状態では、図９に示すように、コネクタ３の第２端子４０が上向きに方向転換し、バッテリ１に下向きに搭載されている第１端子１８に所定の圧接力で圧接する。従って、第１端子１８及び第２端子４０は電気的に接触し、バッテリ１とコネクタ３との電気的導通性が確保される。
【００４１】
即ち本実施形態によれば、前述したようにコネクタ３の回転軸状の第２枢支部３２を上から下降させ、バッテリ１の穴状の第１枢支部１６に嵌めて仮保持すれば、爪状の第２係止部本体３４と凹状の第１係止部２１との位置関係も自動的に設定され、且つ、第１端子１８と第２端子４０との位置関係も自動的に設定され、後は、コネクタ３をコネクタ収容室１３に向けて旋回させれば済む。故に本実施形態によれば、夜間等の暗所であっても、視力が弱い人であっても、身体の動作が不自由の人であっても、コネクタ３の取付作業が容易となる。更にバッテリ１を車椅子の背面側に設けた場合には、車椅子に乗った人が手にコネクタ３を持ち、その手を車椅子の背面側に回せば、人が車椅子に乗ったままの状態であっても、コネクタ３をバッテリ１に簡便に接続することができ、便利である。殊に、前記した第１コネクタ案内部２６及び第２コネクタ案内部２８の案内作用が得られるため、車椅子に乗ったままの状態であっても、コネクタ３をバッテリ１に接続することが可能となる。
【００４２】
上記したようにコネクタ３をバッテリ１に接続した状態では、図９に示すように、操作部３７の他端３７ｂは、バッテリ１の底面１０ａよりも下方に露出状態に配置されている。故に、コネクタ３を取り外すときに、操作部３７を指先でロック解除方向（矢印Ｘ３方向）に操作できるようになっていると共に、コネクタケース３０の導出部３０ｃは下方に指向し、被覆ケーブル４１は下側に向けて導出されることになり、被覆ケーブル４１の配置に要する横スペースを小さくするのに有利となる。また図２及び図９に示すように、コネクタ３をバッテリ１に接続した状態では、コネクタ３がバッテリ１の底面１０ａ側に取り付けられるため、コネクタ３の防塵性、防滴性を向上させることができる。
【００４３】
本実施形態によれば、バッテリ１に接続されているコネクタ３をバッテリ１から取り外すときには、図９に示す状態において、コネクタ３の操作部３７を手指等でロック解除方向（矢印Ｘ３方向）に弾性変形させる。すると、操作部３７の爪状の第２係止部本体３４が凹状の第１係止部２１から離脱する。更に、コネクタ３の回転軸状の第２枢支部３２を旋回中心として、コネクタ３を横方向（図９に示す矢印Ｓ２方向）に旋回させ、その後、コネクタ３の第２枢支部３２とバッテリ１の第１枢支部１６とを離脱させれば、コネクタ３をバッテリ１から簡便に取り外すことができる。
【００４４】
図１０〜図１３は、コネクタ３の接続構造を、電動式可動装置の代表例である電動式車椅子６に適用した形態を示す。図１０は電動式車椅子６の背面図を示す。図１０に示すように、電動式車椅子６は、対象物としての人を保持する対象物保持部６０と、走行時に回転する回転体としての２個１組の車輪６４、車輪６４をそれぞれ回転駆動させる駆動部としての２個１組の駆動モータ６５と、走行時に駆動モータ６５の制御を人が操作するためのステック状の手動操作子６６をもつ走行操作部６７と、走行操作部６７を介して駆動モータ６５に給電する給電部６８と、フットレスト６９ｐをもつフレーム６９とを備えている。フレーム６９は対象物保持部６０、車輪６４、駆動モータ６５、走行操作部６７、給電部６８をそれぞれ保持する。
【００４５】
図１０に示すように、対象物保持部６０は、人の腰部を着座させる着座部６１と、着座部６１に着座する人の背中を支える背もたれ部６２とを有する。背もたれ部６２には、バッテリ収容部材８が脱着可能または固定的にフレーム６９に装備されている。バッテリ収容部材８はバッテリ１を脱着可能に収容するものであり、防水処理または防滴処理された可撓性をもつシート材で形成されている。バッテリ収容部材８は、偏平なバッテリ１を縦型で脱着可能に収容する第１ポケット部８１と、第１ポケット部８１に隣設する第２ポケット部８２とを有する。第１ポケット部８１は、走行時に使用するバッテリ１を収容するものであり、走行操作部６７に相対的に近い側に設けられている。第２ポケット部８２は、予備のバッテリ１Ｂまたは小物類を収容するものであり、走行操作部６７に相対的に遠い側に設けられている。
【００４６】
第１ポケット部８１の上部には、第１ポケット部８１に対してバッテリ１を出し入れするための出入口８１ａが形成されていると共に、可撓性を有する第１カバー部８３が延設されている。第１ポケット部８１の下部には開口窓８５が露出可能に形成されている。この開口窓８５は、第１ポケット部８１にバッテリ１を収容しているときにおいても、コネクタ３の接続操作を可能とするように、バッテリ１の第１枢支部１６及びコネクタ収容室１３を露出させるものである（図１０〜図１２参照）。
【００４７】
図１０に示すように、第２ポケット部８２の上部には、第２ポケット部８２に対してバッテリ１を出し入れするための第２出入口８２ａが形成されていると共に、可撓性を有する第２カバー部８４が延設されている。なお、第２ポケット部８２の下部には、開口窓８５は形成されていない。
【００４８】
第１カバ−部８３は、第１ポケット部８１の第１出入口８１ａ及び開口窓８５の双方を外方から覆う蓋として機能するものであり、防水処理または防滴処理されている。第１カバー部８３により、第１ポケット部８１に収容されているバッテリ１に対する保護性を一層高めることができる。第２カバ−部８４は、第２ポケット部８２の第２出入口８２ａを外方から覆う蓋として機能するものであり、防水処理または防滴処理されている。第２カバー部８４により、第２ポケット部８２に収容されている予備のバッテリ１Ｂ、小物類に対する保護性を一層高めることができる。
【００４９】
第１カバー部８３の下部８３ｄのうち第１ポケット部８１に対面する内面には、第１面ファスナー９１が設けられている。同様に、第２カバー部８４の下部８４ｄのうち第２ポケット部８２に対面する内面には、接合要素としての第１面ファスナー９１が設けられている。バッテリ収容部材８のうち第１ポケット部８１及び第２ポケット部８２の下部の外面には、接合要素としての第２面ファスナー９２が設けられている。第１面ファスナー９１と第２面ファスナー９２は、互いに対面可能とされ、脱着可能に互いに貼着可能とされている。第１面ファスナー９１と第２面ファスナー９２とを脱着可能に貼着させれば、第１カバ−部８３及び第２カバー部８４は、第１出入口８１ａ及び第２出入口８２ａを覆った状態において、バッテリ収容部材８に脱着可能に固定される。故に、第１ポケット部８１及び第２ポケット部８２に収容されているバッテリ１、小物類に対する保護性を一層高めることができる。なお、図１０は、第１カバ−部８３及び第２カバー部８４を上方に延設させている状態を示す。
【００５０】
図１１は、バッテリ収容部材８の第１ポケット部８１に収容されているバッテリ１の第１枢支部１６が、バッテリ収容部材８の第１ポケット部８１の開口窓８５から露出している状態を示す。また、図１１は、上記のように開口窓８５から露出している穴状の第１枢支部１６に、作業者の指先で保持したコネクタ３の回転軸状の第２枢支部３２を嵌める直前の状態を示す。開口窓８５と、開口窓８５から露出するバッテリ１の第１枢支部１６は、電動式車椅子６の背面において、電動式車椅子６に乗った人の手の指が届く範囲内に設けられている。このため、コネクタ３を持った手を電動式車椅子６の背面側に回せば、電動式車椅子６に乗ったままの状態であっても、コネクタ３をバッテリ１に簡便に接続することができ、便利である。
【００５１】
更に、図１１に示すように、第１ポケット部８１の開口窓８５の上側の外面には、第２面ファスナー９２が露出している。図１２は、第１ポケット部８１の開口窓８５から露出しているバッテリ１に、前述した接続操作によりコネクタ３を正常に接続した状態を示す。この状態では、第１カバー部８３を矢印Ｒ３方向に移動させ、第１カバー部８３の下部８３ｄ側の第１面ファスナー９１をバッテリ収容部材８の第２面ファスナー９２に貼着させることにより、第１カバー部８３でバッテリ収容部材８の第１ポケット部８１の開口窓８５を覆うことができる。
【００５２】
この結果、開口窓８５から露出しているコネクタ３とバッテリ１との接続構造を第１カバー部８３で覆い、コネクタ３とバッテリ１の接続構造に対する保護性を高めることができる。なお、コネクタ３から導出された被覆ケーブル４１の先端は走行操作部６７に繋がっている。但し、必要に応じて被覆ケーブル４１の先端を駆動モータ６５側に繋げることにしても良い。
【００５３】
第１ポケット部８１からバッテリ３を取り外すときには、第１面ファスナー９１と第２面ファスナー９２を外した状態で、第１カバー部８３を上方に持ち上げ、更に、コネクタ３を外した状態のバッテリ１を第１ポケット部８１の出入口８１ａから抜き取れば良い。
【００５４】
図１３は、バッテリ収容部材８を電動式車椅子６のフレーム６９に取り付ける代表的な形態を例示する。この場合、図１３に示すように、フレーム６９の背面側には２本１組の支柱７０が間隔を隔てて並設されている。支柱７０は、縦長状に配設されており、車椅子に着座している人を介護する介護者の手で操作されるグリップ部７１をもつ。
【００５５】
２本１組の支柱７０には、横方向にのびる複数の架設部１００が背もたれ機能を発揮できるように橋架されている。架設部１００は上下方向に複数個並設されている。この場合、架設部１００は可撓性をもつシート材で形成されており、そのシート材の内側に設けられた接合要素としての内面ファスナー１０１と、そのシート材の外側に設けられた接合要素としての外面ファスナー１０２とを有する。そして、横長状をなす架設部１００の両端部を矢印Ｗ４方向（図１３参照）に逆Ｕ字形状に折り曲げて支柱７０に巻き付けた状態で、架設部１００は支柱７０に脱着可能に保持されている。この場合、図示はしないものの、支柱７０の外周面に両面テープ等の中間取付具を取り付けておき、この中間取付具を介して架設部１００の内面ファスナー１０１を支柱７０に固定し、これにより架設部１００を支柱７０に固定することができる。但し、架設部１００を支柱７０に固定する固定手段としては、これに限定されるものではない。
【００５６】
そして図１３に示すように、バッテリ収容部材８の一方の片側８ａを支柱７０の前側（車椅子の前方に向かう側）に配置させると共に、バッテリ収容部材８の他方の片側８ｂ（ポケット部８１、８２を有する側）を矢印Ｒ１方向（図１３参照）に、上下を逆にした逆Ｕ字形状に折り曲げて反転させ、支柱７０の後側（車椅子の後方に向かう側）に配置させる。更に、バッテリ収容部材８の他方の片側８ｂに設けられている接合要素としての面ファスナー８ｍを、架設部１００の外面ファスナー１０２に貼着して取り付ける。
【００５７】
この場合、バッテリ収容部材８のポケット部８１、８２は車椅子の後側に向かうように位置しているため、バッテリ１の取付操作、脱着操作を行い易い。また、バッテリ１の高さ位置が適度となり、作業者が腰を過剰にかがめずとも良いため、通常者にとっても、身体の動作が不自由な人にとっても、バッテリ１の取付操作、脱着操作が楽になる。なお、複数の架設部１００とバッテリ収容部材８とにより背もたれ部６２を構成することができる。但し、架設部１００及びバッテリ収容部材８以外の要素で形成された別の背もたれ部６２を、電動式車椅子６のフレーム６９に取り付けることにしても良い。
【００５８】
電動式車椅子のフレーム６９のサイズが変更されたときであっても、図１３に示すような架設部１００を利用したバッテリ収容部材８の取付構造であれば、バッテリ収容部材８及び架設部１００は、サイズが変更された電動式車椅子のフレーム６９においても共用することができ、汎用性を確保することができる。
更にバッテリ１を収容可能なバッテリ収容部材８をフレーム６９に脱着可能に取り付けることにしているため、車椅子に装備されている従来のバッテリホルダを廃止することができ、電導式車椅子の軽量化に有利となる。
【００５９】
（その他）
上記した実施形態によれば、コネクタ３は縦長のバッテリ１の下部側に取り付けられているが、これに限らず、場合によっては、縦長のバッテリ１の上部側でも、中央域でも良い。上記した実施形態によれば、バッテリ１の第１枢支部１６は穴状とされていると共にコネクタ３の第２枢支部３２は回転軸状とされているが、これに限らず、凹凸関係を逆にし、バッテリ１の第１枢支部１６を回転軸状とすると共にコネクタ３の第２枢支部３２を穴状としても良い。即ち、バッテリ１の第１枢支部１６を凸状とすると共にコネクタ３の第２枢支部３２を凹状としても良い。
【００６０】
上記した実施形態によれば、バッテリ１にはコネクタ案内部が設けられているが、これに限らず、場合によっては、バッテリ１にはコネクタ案内部を設けずとも良い。上記した実施形態によれば、コネクタ３の回転軸状の第２枢支部３２を旋回中心として、コネクタ３を横方向にほぼ９０度旋回させるが、旋回角度としてはこれに限定されるものではなく、９０度未満であっても、９０度を超えるときであっても良い。コネクタ３をバッテリ１の第２コネクタ案内部２８に押し当てつつ、コネクタ３をバッテリ１のコネクタ収容室１３に向けて（下方、矢印Ｙ１方向）に移動させることにしているが、これに限らず、用途によっては、コネクタ３を上方に移動させることにしても良い。
【００６１】
上記した実施形態によれば、バッテリ１は、縦長の偏平箱形とされているが、これに限らず、横長の偏平箱形としても良い。この場合、電動式車椅子６の着座部６１の下側にバッテリ１を水平に沿わせた状態で配置するのに適する。図１３は、バッテリ１を収容するバッテリ収容部材８を電動式車椅子６のフレーム６９に取り付ける代表的な形態を例示するが、バッテリ収容部材８を電動式車椅子６のフレーム６９に取り付ける形態はこれに限定されるものではない。
【００６２】
上記した実施形態によれば、バッテリ１は偏平箱形とされているが、これに限られるものではなく、正方形状、また疑似正方形状とすることもできる。その他、本発明は上記し且つ図面に示した実施形態のみに限定されるものではなく、要旨を逸脱しない範囲内で適宜変更して実施できるものである。上記した実施形態によれば、バッテリ収容部材８は、第１ポケット部８１及び第２ポケット部８２を有するが、第１ポケット部８１だけを有するものでも良く、あるいは、第３ポケット部、更には第４ポケット部を有するものでも良い。上記した記載から次の技術的思想も把握できる。
【００６３】
（付記項１）電動式車椅子等の電動式可動装置に搭載されると共にバッテリを脱着可能に収容するバッテリ収容部材であって、バッテリを収容可能なポケット部と、前記ポケット部に対して前記バッテリを出し入れする出入口とを有することを特徴とするバッテリ収容部材。この場合、電動式車椅子等の電動式可動装置にバッテリを搭載させることができる。
【００６４】
（付記項２）付記項１において、前記バッテリ収容部材は、前記ポケット部に収容されているバッテリの第１枢支部を露出させる開口窓を有することを特徴とするバッテリ収容部材。この場合、ポケット部にバッテリを収容した状態であっても、開口窓からバッテリの第１枢支部が露出するため、第１枢支部を介してコネクタをバッテリに接続することができる。
【００６５】
（付記項３）電動式車椅子等の電動式可動装置のフレームを構成する互いに間隔を隔てて並設された複数の支柱に橋架状態に保持される架設部と、架設部に保持されバッテリを収容するポケット部を有するバッテリ収容部材とで構成されていることを特徴とするバッテリ収容部材の取付構造。この場合、バッテリを電動式可動装置に搭載させることができる。更にフレームのサイズが変更されたときであっても、バッテリ収容部材及び架設部は、サイズが変更された電動式車椅子のフレームに共用することができる。
【００６６】
（付記項４）対象物を保持する対象物保持部と、走行時に回転する回転体と、回転体を駆動させる駆動部と、走行時に駆動部を操作する走行操作部と、駆動部に給電する給電部と、対象物保持部、回転体、駆動部、走行操作部、給電部を保持するフレームとを具備する電動式可動装置において、
フレームを構成する互いに間隔を隔てて並設された複数の支柱と、支柱に横方向において橋架状態に保持される架設部と、架設部に保持されバッテリを収容するポケット部を有するバッテリ収容部材とで構成されていることを特徴とする電動式車椅子等の電動式可動装置。この場合、バッテリを電動式可動装置に搭載させることができる。更にフレームのサイズが変更されたときであっても、バッテリ収容部材及び架設部は、サイズが変更された電動式車椅子のフレームに共用することができる。
【産業上の利用可能性】
【００６７】
本発明は電動式可動装置等に使用されるバッテリとコネクタとの接続構造に利用することができる。電動式可動装置としては、電動式の走行機能をもつ車椅子、電動式の定置型の椅子、電動式の搬送機能をもつ搬送ベッド、電動式の起伏機能をもつ可動式ベッド、電動式の自転車、電動式の車両等を例示できる。
【図面の簡単な説明】
【００６８】
【図１】コネクタを取り外したバッテリの斜視図である。
【図２】コネクタをコネクタ収容室に収容した状態で取り付けたバッテリの斜視図である。
【図３】コネクタを示す図である。
【図４】図３の矢印Ａ１方向から視認したコネクタの側面図である。
【図５】図３の矢印Ａ２方向から視認したコネクタの側面図である。
【図６】コネクタをバッテリのコネクタ案内部に押し当てている状態を示す断面図である。
【図７】コネクタの第２枢支部をバッテリの第１枢支部に嵌めて仮保持している状態を示す断面図である。
【図８】コネクタをバッテリのコネクタ案内部に押し当てている状態を示す正面図である。
【図９】コネクタの第２係止部をバッテリの第１係止部に係止することにより、コネクタをバッテリに接続した状態を示す断面図である。
【図１０】バッテリを収容するバッテリ収容部材を取り付けた電動式車椅子の背面図である。
【図１１】バッテリ収容部材の第１ポケット部の開口窓から露出している穴状の第１枢支部に、作業者の指先で保持したコネクタの回転軸状の第２枢支部を嵌める直前の状態を示す斜視図である。
【図１２】第１カバー部の第１面ファスナーをバッテリ収容部材の第２面ファスナーに脱着可能に貼着させることにより、第１カバー部でバッテリ収容部材の第１ポケット部の開口窓を覆う状態を示す斜視図である。
【図１３】電動式車椅子のフレームの支柱にバッテリ収容部材を取り付ける状態を示す斜視図である。
【符号の説明】
【００６９】
１はバッテリ、１０はバッテリケース、１３はコネクタ収容室、１４はコネクタ案内空間、１６は第１枢支部、１７は切欠、１８は第１端子、２１は第１係止部、１９は水抜き孔、２６は第１コネクタ案内部、２８は第２コネクタ案内部、３はコネクタ、３０はコネクタケース、３２は第２枢支部、３３は第２係止部、３７は操作部、４０は第２端子、４１は被覆ケーブル、６は電動式車椅子（電動式可動装置）、６０は対象物保持部、６１は着座部、６２は背もたれ部、６５は駆動モータ（駆動部）、６６は手動操作子、６７は走行操作部、６８は給電部、６９はフレーム、７０は支柱、８はバッテリ収容部材、８１は第１ポケット部、８１ａは出入口、８２は第２ポケット部、８２ａは出入口、８３は第１カバー部、８４は第２カバー部を示す。
【図１】
2005085712.tif 000003
【図２】
2005085712.tif 000004
【図３】
2005085712.tif 000005
【図４】
2005085712.tif 000006
【図５】
2005085712.tif 000007
【図６】
2005085712.tif 000008
【図７】
2005085712.tif 000009
【図８】
2005085712.tif 000010
【図９】
2005085712.tif 000011
【図１０】
2005085712.tif 000012
【図１１】
2005085712.tif 000013
【図１２】
2005085712.tif 000014
【図１３】
2005085712.tif 000015